(57)【要約】      （修正有）【課題】撥水撥油性があって防汚性に優れ、しかも、汚れをシャワー温水で容易に洗い流せて乾燥性も良く、色落ち、縮み、毛羽立ち、黄変、型崩れの生じないネクタイを提供する。【解決手段】表地と裏地によって袋状に形成されたネクタイの大剣部及び小剣部の剣先部分に水抜け穴５ａ，５ｂを設ける。また、ネクタイ生地として、耐スレ性、耐黄変性、耐洗濯性等の機能向上を成した絹糸により織製した生地を用い、さらに、有機フッ素系化合物を含む溶剤による含浸コーティング処理を施す。ネクタイの芯材３としては、有機フッ素系化合物を含む撥水撥油溶剤により含浸コーティング処理された繊維によってメッシュ織りされた生地を用いる。【選択図】 図１
0003152898.tif 000002
【実用新案登録請求の範囲】
【請求項１】
大剣部表地及び小剣部表地の裏面周縁に、これよりやや小寸で対応する形状からなる大剣部裏地及び小剣部裏地をそれぞれ逢着して袋体となし、その内部に略全形に相応する形状寸法からなる芯材を介装させてなるネクタイにおいて、大剣部及び小剣部の剣先部分に前記袋体に通じる水抜け穴を設けたことを特徴とするネクタイ。
【請求項２】
ポリエチレングリコール水溶液及びエキシポ系樹脂水溶液による含浸処理によって、耐スレ性、耐黄変性、耐洗濯性等の機能向上を成した絹糸により織製した生地を用いたことを特徴とする請求項１に記載のネクタイ。
【請求項３】
生地に、有機フッ素系化合物を含む溶剤により含浸コーティング処理を施したことを特徴とする請求項１及び請求項２に記載のネクタイ。
【請求項４】
芯材として、有機フッ素系化合物を含む溶剤により含浸コーティング処理を施した繊維によってメッシュ織りした生地を用いたことを特徴とする請求項１乃至請求項３に記載のネクタイ。
【考案の詳細な説明】
【技術分野】
【０００１】
本考案は、表地と裏地の周縁を逢着し袋状に形成された大剣部と小剣部の内部に芯地を介装させたネクタイに関する。
【背景技術】
【０００２】
通常ネクタイにおいては、絹、ウール、ポリエステル繊維からなる糸を織製した生地が用いられるのであるが、これらの素材は洗濯すると皺となったり縒れて型くずれが生じたりするため、一般家庭で洗濯することはほとんど行われていない。これらの問題を解消するため、生地に形状記憶機能を付与した繊維を織製したものを用いたもの（特許文献１）や、芯地と剣先部裏地との間に熱溶解性の接着シートを挟み込み、芯地と剣先部裏地とを接着させたもの（特許文献２）が提案され、さらには、ネクタイを洗濯するための特別な補助具（特許文献３）や洗濯板（特許文献４）等が提案されている。
【０００３】
しかしながら、上記のような工夫を施し、あるいは、特別な用具を用いて洗濯したところで、繰り返しの洗濯による皺や型くずれを完全に防ぐことはできず、特に、絹糸を織製した生地を用いたネクタイにあっては、これを水に濡らして摩擦（洗濯）すると、色落ち、縮み、毛羽立ち、黄ばみ（黄変）等が生じやすく風合いを損ねるという難点があって、到底一般家庭では洗濯できず、クリーニング専門店においてもその洗濯には面倒で難しい作業が強いられていた。
【０００４】
近年、汚れが最初から付着しづらく、また、汚れが落ち易いよう撥水性や撥油性を持たせた生地が数多く提案されていて、これをネクタイ生地として適用すれば、結果として洗濯する頻度が少なくなり、上記問題も多少解決できるのであるが、多くの場合、化学繊維による生地などにあっては適用可能なものであっても、絹織物についてはスレや当たりを生じやすく、絹特有の光沢や風合が損なわれ易い等の問題が解決されておらず必ずしも満足できるものではない。
【０００５】
また、生地素材を改質して撥水性や撥油性を持たせたとしても、従来の一般的なネクタイは、図２で示すように、剣先部分まで完全に袋状に縫着閉塞されているため、洗濯時にこの袋状となっている表地と裏地との間に浸入した洗濯水の抜け道がなく、吊し乾燥をした際には両剣先部分に洗濯水が暫く留まってしまうため、乾燥に時間が掛かるのみならず乾燥後に皺ができてしまう等の問題がある。特に撥水性生地を使用した場合には生地自体の水抜けが悪いのでその現象は顕著となる。
【０００６】
【特許文献１】実用新案登録第３０１０８２６号
【特許文献２】実用新案登録第３０２０５１９号
【特許文献３】特開平０９−３２７５８８号
【特許文献４】特開平０７−２１３７７６号
【特許文献５】特開平１１−３２３７３５号
【考案の開示】
【考案が解決しようとする課題】
【０００７】
本考案は、上記従来の欠点に鑑みなされたもので、撥水性及び撥油性があって防汚性に優れ、しかも、汚れをシャワー温水で容易に洗い流せて乾燥性も良く、色落ち、縮み、毛羽立ち、黄変、型崩れ等の問題が一切ないネクタイを提供することを課題とする。
【課題を解決するための手段】
【０００８】
上記課題を解決するため、請求項１の考案にあっては、大剣部表地及び小剣部表地の裏面周縁に、これよりやや小寸で対応する形状からなる大剣部裏地及び小剣部裏地をそれぞれ逢着して袋体となし、その内部に略全形に相応する形状寸法からなる芯材を介装させてなるネクタイにおいて、大剣部及び小剣部の剣先部分に前記袋体に通じる水抜け穴を設けたことを特徴とする。
【０００９】
請求項２の考案にあっては、前記請求項１に記載の考案に係るネクタイの生地として、ポリエチレングリコール水溶液及びエキシポ系樹脂水溶液による含浸処理によって、耐スレ性、耐黄変性、耐洗濯性等の機能向上を成した絹糸により織製した生地を用いたことを特徴とする。
【００１０】
請求項３の考案にあっては、前記請求項１及び請求項２に記載の考案に係るネクタイの生地に、有機フッ素系化合物を含む溶剤による含浸コーティング処理を施したことを特徴とする。
【００１１】
請求項４の考案にあっては、前記請求項１乃至請求項３に記載の考案に係るネクタイの芯地として、有機フッ素系化合物を含む撥水撥油溶剤により含浸コーティング処理されたメッシュ織り生地を用いたことを特徴とする。
【考案の効果】
【００１２】
請求項１の考案によれば、大剣部及び小剣部の剣先部分に袋体に通じる水抜け穴を設けたことにより、従来品のように剣先部分が完全に縫着閉塞されていないため、洗濯時に浸入した水の抜けが良く、その結果、乾燥時間が短縮でき、また、乾燥後に皺ができてしまう等の問題が生じない。
【００１３】
請求項２の考案によれば、ポリエチレングリコール水溶液及びエキシポ系樹脂水溶液による含浸処理が施された生地を用いているため、耐スレ性、耐黄変性、耐洗濯性等の機能が大幅に向上し、特に、絹糸により織られた生地を用いた場合、絹の難点であった洗濯による色落ち、縮み、毛羽立ち、黄ばみ等の問題が解消され、一般家庭でも容易に洗濯ができる絹製のネクタイを得ることができる。
【００１４】
請求項３の考案によれば、生地に、有機フッ素系化合物を含む溶剤により含浸コーティング処理を施したため、撥水撥油性機能がより強化され、防汚性や洗濯耐久性に優れたネクタイを得ることができる。
【００１５】
請求項４の考案によれば、芯材として、有機フッ素系化合物を含む溶剤により含浸コーティング処理を施した繊維によってメッシュ織りした生地を用いたため、撥水性、通気性、乾燥性等に優れた芯材とすることができ、結果、通気性及び乾燥性等に優れたネクタイとすることができる。
【考案を実施するための最良の形態】
【００１６】
以下、本考案の一実施形態について図面に基づいて説明する。
図１は本実施形態に係るネクタイの裏面一部説明図、図２は従来品ネクタイの裏面一部説明図、図３は本実施形態に係るネクタイの裏面略展開図である。なお、従来品ネクタイを示す図２中の符号は、同一の箇所について、本実施形態のネクタイを示す図中の符号と同一のものを使用する。
【００１７】
本実施形態によるネクタイの構成は、従来品ネクタイと基本的には同様で、大剣部表地１ａ、小剣部表地１ｂ及び中はぎ部１ｃからなる表地の周縁を適宜巾二重に折り返して縫い代を設定し、大剣部表地１ａ及び小剣部表１ｂの裏面に、これよりやや小寸で対応する形状からなる大剣部裏地２ａ及び小剣部裏地２ｂをそれぞれ袋状に逢着する。そして、その袋内部にネクタイの略全形に相応する形状寸法からなる芯材３の中心を合わせて介装させた後、この芯材３をくるむようにして表地の両側縁を折り返して裏面中央で重合し、その重合部分を上下両端部分をやや残して縫合するとともに、縫合されなかった上下の重合部分の適宜箇所にかんぬき止め４ａ、４ｂを縫い付けた構成となっている。
【００１８】
しかし、本実施形態によるネクタイにあっては、図１及び図３に示すように、従来品ネクタイ（図２参照）と異なり、大剣部及び小剣部の剣先に、大剣部表地１ａと大剣部裏地２ａ、小剣部表地１ｂと小剣部裏地２ｂとによって形成された袋体に通じる水抜け穴５ａ、５ｂがそれぞれ設けられている。この水抜け穴５ａ、５ｂは、表地裏面の両剣先縫い代部分の接合部を逢着閉塞しないことによって形成されている。この水抜け穴５ａ、５ｂを設けたことにより、洗濯時に両袋体に浸入した洗濯水は、吊し干しをすることによってスムーズに抜け、その結果、乾燥時間が従来品ネクタイと比べ半分程度に短縮され、また、部位による乾燥時間の相違から生じていた皺の発生も見られなくなった。
【００１９】
さらに、本実施形態によるネクタイにあっては、表地の両側を裏面中央で重合して縫合した際に、縫合されなかった上下重合部分に縫い付けたかんぬき止め４ａ、４ｂは、重合両端部（裾部）にも縫い付けられている。これによって、開放された裾部が縒れたり捲れたりすることを防止することができる。
【００２０】
本実施形態によるネクタイ生地には、特開平１１−３２３７３５号（特許文献５）の発明による絹糸によって織製された生地を用いた。この発明は、絹糸の耐スレ性、耐黄褐変性、耐洗濯性等の機能を向上させることを目的としてなされたもので、その要旨は、絹糸を穴空きボビンに糸層に空隙を多く持たせて巻き上げた状態で、チーズ染色装置内で処理液を循環させながら、精練処理、ポリエチレングリコールの0.1〜５規定水溶液による処理及びエポキシ系樹脂加工を実施し、また、前記ポリエチレングリコール水溶液処理後、脱水、乾燥してからエポキシ系樹脂加工処理を実施したところにある。
【００２１】
上記発明は、着物地を織製する絹糸の改質加工方法に関するものであるが、そもそも、着物の洗濯機会はそれほど多くはなく、商品価値からしてそのほとんどが専門業者に任せざるを得ないのが実際である。これに比べ、ネクタイは日常的に使用されることから洗濯回数も多く家庭で容易に洗濯できることが望まれている。そこで本考案者は、上記発明による絹糸の特性に着目し、この絹糸によって織製した生地をネクタイ生地として用いることの有用性を知見し本考案に適用した。
【００２２】
また、本実施形態によるネクタイの生地には、有機フッ素系化合物を含む溶剤により含浸コーティング処理（フッ素ガード加工）が施されていて、撥水製、撥油性、防汚性、洗濯耐久性のさらなる機能向上が図られている。このフッ素ガード加工をするための溶剤や処理方法については多くの提案がなされているので、素材の持つ風合いや通気性を損なわずにフッ素ガード加工ができるものを適宜選択すればよい。
【００２３】
また、ネクタイの芯材には、有機フッ素系化合物を含む溶剤によって含浸コーティングされた繊維からなるメッシュ織り生地を用いた。これにより撥水性、通気性、乾燥性に優れた芯材とすることができた。
【００２４】
以上のとおり、本考案によるネクタイは、水抜けの良い構造になっていることに加え、生地を織製する糸から芯材に至るまでの全ての構成要素において優れた撥水性、撥油性、防汚性、耐スレ性、耐黄変性及び耐洗濯耐久性等の機能が発揮されるため、これらの総合効果として、汚れをシャワー温水で容易に洗い流せて乾燥性も良く、一般家庭での繰り返しの洗濯によっても、色落ち、縮み、毛羽立ち、黄変、型くずれ等の問題が一切ないネクタイとすることができる。特に、風合いや光沢を持ち味とする絹製のネクタイにあっては極めて有用である。
【図面の簡単な説明】
【００２５】
【図１】本実施形態に係るネクタイの裏面一部説明図
【図２】従来品ネクタイの裏面一部説明図
【図３】本実施形態に係るネクタイの裏面略展開図である。
【符号の説明】
【００２６】
１ａ  大剣部表地
１ｂ  小剣部表地
１ｃ  中はぎ部
２ａ  大剣部裏地
２ｂ  小剣部裏地
３  芯材
４ａ、４ｂ  かんぬき止め
５ａ、５ｂ  水抜け穴
【図１】
0003152898.tif 000003
【図２】
0003152898.tif 000004
【図３】
0003152898.tif 000005
【手続補正書】
【提出日】平成21年6月11日(2009.6.11)
【手続補正１】
【補正対象書類名】実用新案登録請求の範囲
【補正対象項目名】全文
【補正方法】変更
【補正の内容】
【実用新案登録請求の範囲】
【請求項１】
大剣部表地及び小剣部表地の裏面周縁に、これよりやや小寸で対応する形状からなる大剣部裏地及び小剣部裏地をそれぞれ逢着して袋体となし、その内部に略全形に相応する形状寸法からなる芯材を介装させてなるネクタイにおいて、大剣部及び小剣部の剣先部分に前記袋体に通じる水抜け穴を設けたことを特徴とするネクタイ。
【請求項２】
ポリエチレングリコール水溶液及びエポキシ系樹脂水溶液による含浸処理によって、耐スレ性、耐黄変性、耐洗濯性等の機能向上を成した絹糸により織製した生地を用いたことを特徴とする請求項１に記載のネクタイ。
【請求項３】
生地に、有機フッ素系化合物を含む溶剤により含浸コーティング処理を施したことを特徴とする請求項１又は請求項２に記載のネクタイ。
【請求項４】
芯材として、有機フッ素系化合物を含む溶剤により含浸コーティング処理を施した繊維によってメッシュ織りした生地を用いたことを特徴とする請求項１乃至請求項３のいずれか１項に記載のネクタイ。